(57)【要約】【課題】特に明確な意図を持たないユーザに対して、新たな興味を刺激し、コンテンツ閲覧の機会を増加させる。【解決手段】本発明は、マップデータ格納手段からマップデータを取得して提供するマップデータ提供手段と、ログデータ格納手段から任意の期間のログデータを取得してアクセス数を集計するアクセス数集計手段を有するアクセス状況提供サーバと、アクセス状況提供サーバにアクセスして、コンテンツやジャンルをマップとして取得して表示するマップ要求手段と、アクセス状況提供サーバにアクセスして最新のアクセス集計データを取得し、コンテンツやジャンルに対応付けてマップ上に表示する表示手段とを有するアクセス状況参照端末とを有する。【選択図】　　　図１
2004126937.tif 000002
【特許請求の範囲】
【請求項１】
サービスを利用しているアクセス状況を表示するためのアクセス状況表示システムであって、
コンテンツ情報とジャンル情報をマップ上に配置したマップデータを格納するマップデータ格納手段と、
コンテンツへアクセスしたアクセスログを格納するログデータ格納手段と、
前記マップデータ格納手段からマップデータを取得して提供するマップデータ提供手段と、前記ログデータ格納手段から任意の期間のログデータを取得してアクセス数を集計するアクセス数集計手段と、を有するアクセス状況提供サーバと、
前記アクセス状況提供サーバにアクセスして、コンテンツやジャンルを２次元マップとして取得して表示するマップ要求手段と、該アクセス状況提供サーバにアクセスして最新のアクセス集計データを取得して、コンテンツやジャンルに対応付けて該マップ上に表示する表示手段と、を有するアクセス状況参照端末と、
を有することを特徴とするアクセス状況表示システム。
【請求項２】
サービスを利用しているアクセス状況を表示するためのアクセス状況表示システムであって、
コンテンツ情報とジャンル情報をマップ上に配置したマップデータを格納するマップデータ格納手段と、
コンテンツへアクセスしたユーザ情報をアクセスログと共に格納するログデータ格納手段と、
前記マップデータ格納手段からマップデータを取得して提供するマップデータ提供手段と、前記ログデータ格納手段から現在アクセス中のユーザとコンテンツを取得してアクセスユーザデータを送信するアクセス数集計手段と、を有するアクセス状況提供サーバと、
前記アクセス状況提供サーバにアクセスし、コンテンツやジャンルを２次元マップとして取得して表示するマップ要求手段と、該アクセス状況提供サーバにアクセスして最新のアクセスユーザデータを取得し、該アクセスユーザデータをコンテンツやジャンルに対応付けて該マップ上に表示する表示手段と、を有するアクセス状況参照端末と、
を有することを特徴とするアクセス状況表示システム。
【請求項３】
前記マップは、最下位レベルのジャンル情報周辺に関連するコンテンツを配置し、さらに上位のジャンル情報周辺に複数の下位ジャンル情報及びコンテンツ情報を配置する請求項１または、２記載のアクセス状況表示システム。
【請求項４】
前記アクセス状況参照端末は、
表示されたユーザを選択し、コミュニケーションツールを起動する手段を更に有する請求項２記載のアクセス状況表示システム。
【請求項５】
サービスを利用しているアクセス状況を表示するためのアクセス状況表示方法において、
アクセス状況提供サーバにおいて、
アクセス状況参照端末からアクセスされると、コンテンツ情報とジャンル情報をマップ上に配置したマップデータを格納しているマップデータ格納手段からマップデータを取得して、該アクセス状況参照端末に送信し、
前記アクセス状況参照端末では、
前記アクセス状況提供サーバから取得したマップデータを表示し、
前記アクセス状況提供サーバにアクセスして、アクセス数を要求し、
前記アクセス状況提供サーバでは、
コンテンツへアクセスしたアクセスログを格納するログデータ格納手段から最新のアクセス数を集計し、最新のアクセス集計データを前記アクセス状況参照端末に送信し、
前記アクセス状況参照端末では、
前記アクセス状況提供サーバから送信された前記最新のアクセス集計データを取得して、コンテンツやジャンルに対応付けてマップ上に表示することを特徴とするアクセス状況表示方法。
【請求項６】
サービスを利用しているアクセス状況を表示するためのアクセス状況表示方法において、
アクセス状況提供サーバにおいて、
アクセス状況参照端末からアクセスされると、コンテンツ情報とジャンル情報をマップ上に配置したマップデータを格納しているマップデータ格納手段からマップデータを取得して、該アクセス状況参照端末に送信し、
前記アクセス状況参照端末では、
前記アクセス状況提供サーバから取得したマップデータを表示し、
前記アクセス状況提供サーバにアクセスして最新のアクセスユーザデータを要求し、
前記アクセス状況提供サーバでは、
コンテンツへアクセスしたユーザ情報をアクセスログと共に格納するログデータ格納手段からログデータを取得して、該ログデータから現在アクセス中のユーザとコンテンツを取得して、最新のアクセスユーザデータとコンテンツを取得して、前記アクセス状況参照端末に送信し、
前記アクセス状況参照端末では、
前記アクセス状況提供サーバから送信された最新のアクセスユーザデータを取得し、該アクセスユーザデータをコンテンツやジャンルに対応付けて該マップ上に表示することを特徴とするアクセス状況表示方法。
【請求項７】
前記マップとして、
最下位レベルのジャンル情報周辺に関連するコンテンツを配置し、さらに上位のジャンル情報周辺に複数の下位ジャンル情報及びコンテンツ情報を配置する請求項５または、６記載のアクセス状況表示方法。
【請求項８】
前記アクセス状況参照端末において、
表示されたユーザを選択し、コミュニケーションツールを起動する請求項６記載のアクセス状況表示方法。
【請求項９】
アクセス状況提供サーバにアクセスし、サービスを利用しているアクセス状況を表示するアクセス状況参照端末であって、
起動時に、前記アクセス状況提供サーバにアクセスし、マップデータ、コンテンツマーク、ジャンルマークを取得して、画面上のマップサイズに合わせて、該コンテンツマーク、該ジャンルマークを表示するマップ要求手段と、
前記アクセス状況提供サーバにアクセスして最新のアクセス集計データを要求し、コンテンツ識別子とアクセス数が対になったデータ及び、ジャンル識別子とアクセス数が対になったデータを、該最新のアクセス集計データとして取得し、現在表示されているマップの種類及び、サイズに応じて、前記コンテンツマーク及び前記ジャンルマークの上あるいは、その周囲に該アクセス集計データをコンテンツやジャンルに対応付けて表示する表示手段と、を有することを特徴とするアクセス状況参照端末。
【請求項１０】
アクセス状況提供サーバにアクセスし、サービスを利用しているアクセス状況を表示するアクセス状況参照端末であって、
起動時に、前記アクセス状況提供サーバにアクセスし、マップデータ、コンテンツマーク、ジャンルマークを取得して、画面上のマップサイズに合わせて、該コンテンツマーク、該ジャンルマークを表示するマップ要求手段と、
前記アクセス状況提供サーバにアクセスして最新のアクセスユーザデータを要求し、ユーザ識別子とコンテンツ識別子とが対になったデータを該アクセスユーザデータとして取得し、現在表示されているマップの種類及び、サイズに応じて前記コンテンツマークあるいは、その周囲に該アクセスユーザデータをコンテンツやジャンルに対応付けて表示する表示手段と、を有することを特徴とするアクセス状況参照端末。
【請求項１１】
表示されたユーザを選択し、コミュニケーションツールを起動する手段を更に有する請求項１０記載のアクセス状況参照端末。
【請求項１２】
前記マップとして、
最下位レベルのジャンル情報周辺に関連するコンテンツを配置し、さらに上位のジャンル情報周辺に複数の下位ジャンル情報及びコンテンツ情報を配置する請求項９または、１０記載のアクセス状況参照端末。
【請求項１３】
アクセス状況参照端末からアクセスされると、サービスを利用しているアクセス状況を提供するアクセス状況提供サーバであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信する手段と、
前記アクセス状況参照端末から最新のアクセス集計データが要求されると、コンテンツへアクセスしたアクセスログが格納されているログデータ格納手段から、最新のアクセスログを一定時間分取得して、コンテンツ毎及びジャンル毎のアクセス数を集計し、アクセス集計データとして該アクセス状況参照端末に送信する手段と、を有することを特徴とするアクセス状況提供サーバ。
【請求項１４】
アクセス状況参照端末からアクセスされると、サービスを利用しているアクセス状況を提供するアクセス状況提供サーバであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信する手段と、
前記アクセス状況参照端末から最新のアクセスユーザデータが要求されると、
コンテンツへアクセスしたユーザ情報をアクセスログと共に格納するログデータ格納手段から、最新のアクセスユーザデータを取得して、該アクセス状況参照端末に送信する手段と、を有することを特徴とするアクセス状況提供サーバ。
【請求項１５】
アクセス状況提供サーバにアクセスし、サービスを利用しているアクセス状況を表示するアクセス状況参照端末が実行するアクセス状況表示プログラムであって、
起動時に、前記アクセス状況提供サーバにアクセスし、マップデータ、コンテンツマーク、ジャンルマークを取得して、画面上のマップサイズに合わせて、該コンテンツマーク、該ジャンルマークを表示するマップ要求ステップと、
前記アクセス状況提供サーバにアクセスして最新のアクセス集計データを要求し、コンテンツ識別子とアクセス数が対になったデータ及び、ジャンル識別子とアクセス数が対になったデータを、該最新のアクセス集計データとして取得し、現在表示されているマップの種類及び、サイズに応じて、前記コンテンツマーク及び前記ジャンルマークの上あるいは、その周囲に該アクセス集計データをコンテンツやジャンルに対応付けて表示する表示ステップと、を実行することを特徴とするアクセス状況表示プログラム。
【請求項１６】
アクセス状況提供サーバにアクセスし、サービスを利用しているアクセス状況を表示するアクセス状況参照端末が実行するアクセス状況表示プログラムであって、
起動時に、前記アクセス状況提供サーバにアクセスし、マップデータ、コンテンツマーク、ジャンルマークを取得して、画面上のマップサイズに合わせて、該コンテンツマーク、該ジャンルマークを表示するマップ要求ステップと、
前記アクセス状況提供サーバにアクセスして最新のアクセスユーザデータを要求し、ユーザ識別子とコンテンツ識別子とが対になったデータを該アクセスユーザデータとして取得し、現在表示されているマップの種類及び、サイズに応じて前記コンテンツマークあるいは、その周囲に該アクセスユーザデータをコンテンツやジャンルに対応付けて表示する表示ステップと、を実行することを特徴とするアクセス状況表示プログラム。
【請求項１７】
アクセス状況参照端末からアクセスされると、サービスを利用しているアクセス状況を提供するアクセス状況提供サーバが実行するアクセス状況表示プログラムであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信するステップと、
前記アクセス状況参照端末から最新のアクセス集計データが要求されると、コンテンツへアクセスしたアクセスログが格納されているログデータ格納手段から、最新のアクセスログを一定時間分取得して、コンテンツ毎及びジャンル毎のアクセス数を集計し、アクセス集計データとして該アクセス状況参照端末に送信することを特徴とするアクセス状況表示プログラム。
【請求項１８】
アクセス状況参照端末からアクセスされると、サービスを利用しているアクセス状況を提供するアクセス状況提供サーバが実行するアクセス状況表示プログラムであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信するステップと、
前記アクセス状況参照端末から最新のアクセスユーザデータが要求されると、
コンテンツへアクセスしたユーザ情報をアクセスログと共に格納するログデータ格納手段から、最新のアクセスユーザデータを取得して、該アクセス状況参照端末に送信するステップと、を実行することを特徴とするアクセス状況表示プログラム。
【発明の詳細な説明】
【０００１】
【発明の属する技術分野】
本発明は、アクセス状況表示システム及びアクセス状況参照端末及びアクセス状況提供サーバ及びアクセス状況表示方法及びアクセス状況表示プログラムに係り、特に、ゲーム、ニュース、映画などのデジタルコンテンツをインターネット等の通信回線を介して配信するコンテンツ配信サービスや、各種ホームページを紹介するディレクトリサービス、あるいは、映画、ＤＶＤ、書籍などを紹介・販売するポータルサイト等に設け、サービスを利用しているユーザのアクセス状況を視覚表示する、アクセス状況表示システム及びアクセス状況参照端末及びアクセス状況提供サーバ及びアクセス状況表示方法及びアクセス状況表示プログラムに関する。
【０００２】
【従来の技術】
従来、コンテンツ配信サービス、ディレクトリサービス、各種ポータルサイトでは、コンテンツをジャンル毎に分類しユーザに提供している。各ジャンル内のコンテンツが大量の場合は、更にサブジャンルを設定し、階層的なジャンル構造の中に各コンテンツを配し提供している（例えば、特許文献１）。そのため、特定の映画についての情報を知りたいといった明確な意図を持つユーザは、トップレベルの階層から、“エンターテイメント”を選択し、次に、“映画”を選択するといったように、次々と下位レベルのジャンル階層を辿り、目的のコンテンツに到達することができる。あるいは、キーワード検索機能を利用し、キーワードに関連した情報に絞り込み、目的とする情報を探し出す。
【０００３】
しかし、『何か面白そうな情報がないかなあ』といった漠然とした目的しか持っていないユーザは、どのジャンルを選択しようかとジャンルの選択時点で迷ってしまい、なかなか興味のある情報を探し出せない。また、キーワード検索をしようとしても、ユーザが自分の興味を適切なキーワードで表現することは難しく、利用が難しいという問題がある。
【０００４】
そこで、売上や視聴率のランキング情報、お薦め情報を提供して、ユーザの興味を刺激する方法が採られている（例えば、特許文献２参照）。明確な意図を持たないユーザは、ランキング情報やお薦め情報を見ることにより、新たな興味がわき、より詳細なコンテンツを閲覧したり、関連するコンテンツを探索するきっかけになる。
【０００５】
【特許文献１】
特開２００２−１５７２９
【特許文献２】
特開２００２−２２９１６７。
【０００６】
【発明が解決しようとする課題】
しかしながら、上記従来のランキング情報は、ある特定のジャンルに属するコンテンツに対して、特定の期間における人気度を示すものである。そのため、ジャンルが狭過ぎると、ユーザの興味を刺激するコンテンツが含まれていない可能性が高くなってしまう。また、ジャンルが広過ぎるとユーザの興味を刺激するコンテンツが含まれていたとしても、そのコンテンツに関連する別の情報を探すのが難しいという問題がある。
【０００７】
本発明は、上記の点に鑑みなされたもので、特に明確な意図を持たないユーザに対して、新たな興味を刺激し、コンテンツ閲覧の機会を増加させることが可能なアクセス状況表示システム及びアクセス状況参照端末及びアクセス状況提供サーバ及びアクセス状況表示方法及びアクセス状況表示プログラムを提供することを目的とする。
【０００８】
【課題を解決するための手段】
図１は、本発明の原理構成図である。
【０００９】
本発明は、サービスを利用しているアクセス状況を表示するためのアクセス状況表示システムであって、
コンテンツ情報とジャンル情報をマップ上に配置したマップデータを格納するマップデータ格納手段１と、
コンテンツへアクセスしたアクセスログを格納するログデータ格納手段２と、マップデータ格納手段１からマップデータを取得して提供するマップデータ提供手段３１と、ログデータ格納手段２から任意の期間のログデータを取得してアクセス数を集計するアクセス数集計手段３２と、を有するアクセス状況提供サーバ３と、
アクセス状況提供サーバ３にアクセスして、コンテンツやジャンルを２次元マップとして取得して表示するマップ要求手段４１と、該アクセス状況提供サーバ３にアクセスして最新のアクセス集計データを取得して、コンテンツやジャンルに対応付けて該マップ上に表示する表示手段４２と、を有するアクセス状況参照端末４と、を有する。
【００１０】
本発明は、サービスを利用しているアクセス状況を表示するためのアクセス状況表示システムであって、
コンテンツ情報とジャンル情報をマップ上に配置したマップデータを格納するマップデータ格納手段と、
コンテンツへアクセスしたユーザ情報をアクセスログと共に格納するログデータ格納手段と、
マップデータ格納手段からマップデータを取得して提供するマップデータ提供手段と、ログデータ格納手段から現在アクセス中のユーザとコンテンツを取得してアクセスユーザデータを送信するアクセス数集計手段と、を有するアクセス状況提供サーバと、
アクセス状況提供サーバにアクセスし、コンテンツやジャンルを２次元マップとして取得して表示するマップ要求手段と、該アクセス状況提供サーバにアクセスして最新のアクセスユーザデータを取得し、該アクセスユーザデータをコンテンツやジャンルに対応付けて該マップ上に表示する表示手段と、を有するアクセス状況参照端末と、を有する。
【００１１】
本発明は、マップとして、最下位レベルのジャンル情報周辺に関連するコンテンツを配置し、さらに上位のジャンル情報周辺に複数の下位ジャンル情報及びコンテンツ情報を配置する。
【００１２】
本発明は、アクセス状況参照端末において、
表示されたユーザを選択し、コミュニケーションツールを起動する手段を更に有する。
【００１３】
図２は、本発明の原理を説明するための図である。
【００１４】
本発明は、サービスを利用しているアクセス状況を表示するためのアクセス状況表示方法において、
アクセス状況提供サーバにおいて、
アクセス状況参照端末からアクセスされると（ステップ１）、コンテンツ情報とジャンル情報をマップ上に配置したマップデータを格納しているマップデータ格納手段からマップデータを取得して（ステップ２）、該アクセス状況参照端末に送信し（ステップ３）、
アクセス状況参照端末では、
アクセス状況提供サーバから取得したマップデータを表示し（ステップ４）、アクセス状況提供サーバにアクセスして、アクセス数を要求し（ステップ５）、
アクセス状況提供サーバでは、
コンテンツへアクセスしたアクセスログを格納するログデータ格納手段から最新のアクセス数を集計し（ステップ６）、最新のアクセス集計データをアクセス状況参照端末に送信し（ステップ７）、
アクセス状況参照端末では、
アクセス状況提供サーバから送信された最新のアクセス集計データを取得して、コンテンツやジャンルに対応付けてマップ上に表示する（ステップ８）。
【００１５】
本発明は、サービスを利用しているアクセス状況を表示するためのアクセス状況表示方法において、
アクセス状況提供サーバにおいて、
アクセス状況参照端末からアクセスされると、コンテンツ情報とジャンル情報をマップ上に配置したマップデータを格納しているマップデータ格納手段からマップデータを取得して、該アクセス状況参照端末に送信し、
アクセス状況参照端末では、
アクセス状況提供サーバから取得したマップデータを表示し、
アクセス状況提供サーバにアクセスして最新のアクセスユーザデータを要求し、
アクセス状況提供サーバでは、
コンテンツへアクセスしたユーザ情報をアクセスログと共に格納するログデータ格納手段からログデータを取得して、該ログデータから現在アクセス中のユーザとコンテンツを取得して、最新のアクセスユーザデータとコンテンツを取得して、アクセス状況参照端末に送信し、
アクセス状況参照端末では、
アクセス状況提供サーバから送信された最新のアクセスユーザデータを取得し、該アクセスユーザデータをコンテンツやジャンルに対応付けて該マップ上に表示する。
【００１６】
本発明は、マップとして、最下位レベルのジャンル情報周辺に関連するコンテンツを配置し、さらに上位のジャンル情報周辺に複数の下位ジャンル情報及びコンテンツ情報を配置する。
【００１７】
本発明は、アクセス状況参照端末において、表示されたユーザを選択し、コミュニケーションツールを起動する。
【００１８】
本発明は、アクセス状況提供サーバにアクセスし、サービスを利用しているアクセス状況を表示するアクセス状況参照端末であって、
起動時に、アクセス状況提供サーバにアクセスし、マップデータ、コンテンツマーク、ジャンルマークを取得して、画面上のマップサイズに合わせて、該コンテンツマーク、該ジャンルマークを表示するマップ要求手段と、
アクセス状況提供サーバにアクセスして最新のアクセス集計データを要求し、コンテンツ識別子とアクセス数が対になったデータ及び、ジャンル識別子とアクセス数が対になったデータを、該最新のアクセス集計データとして取得し、現在表示されているマップの種類及び、サイズに応じて、コンテンツマーク及びジャンルマークの上あるいは、その周囲にアクセス集計データをコンテンツやジャンルに対応付けて表示する表示手段と、を有する。
【００１９】
本発明は、アクセス状況提供サーバにアクセスし、サービスを利用しているアクセス状況を表示するアクセス状況参照端末であって、
起動時に、アクセス状況提供サーバにアクセスし、マップデータ、コンテンツマーク、ジャンルマークを取得して、画面上のマップサイズに合わせて、該コンテンツマーク、該ジャンルマークを表示するマップ要求手段と、
アクセス状況提供サーバにアクセスして最新のアクセスユーザデータを要求し、ユーザ識別子とコンテンツ識別子とが対になったデータを該アクセスユーザデータとして取得し、現在表示されているマップの種類及び、サイズに応じてコンテンツマークあるいは、その周囲にアクセスユーザデータをコンテンツやジャンルに対応付けて表示する表示手段と、を有する。
【００２０】
本発明は、表示されたユーザを選択し、コミュニケーションツールを起動する手段を更に有する。
【００２１】
本発明は、マップとして、最下位レベルのジャンル情報周辺に関連するコンテンツを配置し、さらに上位のジャンル情報周辺に複数の下位ジャンル情報及びコンテンツ情報を配置する。
【００２２】
本発明は、アクセス状況参照端末からアクセスされると、サービスを利用しているアクセス状況を提供するアクセス状況提供サーバであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信する手段と、
アクセス状況参照端末から最新のアクセス集計データが要求されると、コンテンツへアクセスしたアクセスログが格納されているログデータ格納手段から、最新のアクセスログを一定時間分取得して、コンテンツ毎及びジャンル毎のアクセス数を集計し、アクセス集計データとして該アクセス状況参照端末に送信する手段と、を有する。
【００２３】
本発明は、アクセス状況参照端末からアクセスされると、サービスを利用しているアクセス状況を提供するアクセス状況提供サーバであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信する手段と、
アクセス状況参照端末から最新のアクセスユーザデータが要求されると、　コンテンツへアクセスしたユーザ情報をアクセスログと共に格納するログデータ格納手段から、最新のアクセスユーザデータを取得して、該アクセス状況参照端末に送信する手段と、を有する。
【００２４】
本発明は、アクセス状況提供サーバにアクセスし、サービスを利用しているアクセス状況を表示するアクセス状況参照端末が実行するアクセス状況表示プログラムであって、
起動時に、アクセス状況提供サーバにアクセスし、マップデータ、コンテンツマーク、ジャンルマークを取得して、画面上のマップサイズに合わせて、該コンテンツマーク、該ジャンルマークを表示するマップ要求ステップと、
アクセス状況提供サーバにアクセスして最新のアクセス集計データを要求し、コンテンツ識別子とアクセス数が対になったデータ及び、ジャンル識別子とアクセス数が対になったデータを、該最新のアクセス集計データとして取得し、現在表示されているマップの種類及び、サイズに応じて、コンテンツマーク及びジャンルマークの上あるいは、その周囲にアクセス集計データをコンテンツやジャンルに対応付けて表示する表示ステップと、を実行する。
【００２５】
本発明は、アクセス状況提供サーバにアクセスし、サービスを利用しているアクセス状況を表示するアクセス状況参照端末が実行するアクセス状況表示プログラムであって、
起動時に、アクセス状況提供サーバにアクセスし、マップデータ、コンテンツマーク、ジャンルマークを取得して、画面上のマップサイズに合わせて、該コンテンツマーク、該ジャンルマークを表示するマップ要求ステップと、
アクセス状況提供サーバにアクセスして最新のアクセスユーザデータを要求し、ユーザ識別子とコンテンツ識別子とが対になったデータを該アクセスユーザデータとして取得し、現在表示されているマップの種類及び、サイズに応じてコンテンツマークあるいは、その周囲にアクセスユーザデータをコンテンツやジャンルに対応付けて表示する表示ステップと、を実行する。
【００２６】
本発明は、アクセス状況参照端末からアクセスされると、サービスを利用しているアクセス状況を提供するアクセス状況提供サーバが実行するアクセス状況表示プログラムであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信するステップと、
アクセス状況参照端末から最新のアクセス集計データが要求されると、コンテンツへアクセスしたアクセスログが格納されているログデータ格納手段から、最新のアクセスログを一定時間分取得して、コンテンツ毎及びジャンル毎のアクセス数を集計し、アクセス集計データとして該アクセス状況参照端末に送信する。
本発明は、アクセス状況参照端末からアクセスされると、サービスを利用しているアクセス状況を提供するアクセス状況提供サーバが実行するアクセス状況表示プログラムであって、
アクセス状況参照端末からの要求に基づいて、コンテンツ情報とジャンル情報をマップ上に配置したマップデータを格納するマップデータ格納手段からコンテンツ識別子と座標値が対になったデータ及びジャンル識別子と座標値が対になったデータであるマップデータ、マップのサイズに応じて表示形態を変えることが可能なコンテンツマーク及びジャンルマークを取得して、該アクセス状況参照端末に送信するステップと、
アクセス状況参照端末から最新のアクセスユーザデータが要求されると、
コンテンツへアクセスしたユーザ情報をアクセスログと共に格納するログデータ格納手段から、最新のアクセスユーザデータを取得して、該アクセス状況参照端末に送信するステップと、を実行する。
【００２７】
上記のように、本発明では、任意の期間において集計したアクセスをコンテンツ及びジャンルに対応付けてマップ上に表示することにより、ユーザはアクセスの集中しているジャンルやコンテンツをマップから直感的に把握することができ、どのような内容だろうとユーザの興味を強く刺激することができる。その結果、興味を持ったコンテンツを閲覧する機会を増加させることが可能となる。
【００２８】
また、本発明では、最下位レベルのジャンル情報周辺に関連するコンテンツを配置すると共に、上位の抽象度の高いジャンル情報周辺に複数の下位ジャンル情報及びコンテンツ情報を配置することにより、興味がわいたコンテンツの周辺には、内容的に似たコンテンツが存在するので、容易に別のコンテンツを閲覧することが可能となる。
【００２９】
さらに、本発明では、コンテンツへアクセスしたユーザ情報をアクセスログとして保持しておき、ログデータから現在アクセス中のユーザとコンテンツを取得し、これらを対応付けてマップ上に表示することが可能となる。
【００３０】
これにより、表示されたユーザを選択し、コミュニケーションツールを起動することにより、ユーザ同士の情報交換を支援することができる。
【００３１】
このように、ユーザ情報が取得できるサービスに本発明を適用した場合、個々のユーザ動向がリアルタイムに表示でき、コンテンツを様々なユーザが閲覧しているという臨場感を高めることができる。その結果、コンテンツの内容を見てみたいというユーザの興味をさらに強く刺激することができ、コンテンツを閲覧する機会を増加させることが可能となる。
【００３２】
【発明の実施の形態】
以下、図面と共に本発明の実施の形態を説明する。
【００３３】
［第１の実施の形態］
図３は、本発明の第１の実施の形態におけるアクセス状況表示システムの構成を示す。
【００３４】
同図に示すシステムは、インターネットなどのネットワークにコンテンツ提供サーバ６を設け、コンテンツ参照クライアント７からのコンテンツ参照要求に応じて、コンテンツ情報格納部５に格納されているコンテンツあるいは、コンテンツへのリンク情報を提供するシステムを前提にしており、コンテンツ提供サーバ６は、コンテンツのアクセスログをログデータ格納部２に出力する機能を有する。
【００３５】
本発明のアクセス状況表示システムは、アクセスログをエンドユーザに視覚的に提供するためのアクセス状況提供サーバ３と、当該アクセス状況提供サーバ３と通信し、アクセス状況を表示するアクセス状況参照クライアント４とを、追加した構成をとる。
【００３６】
図４は、本発明の第１の実施の形態におけるアクセス状況提供サーバの構成を示す。同図に示すアクセス状況提供サーバ３は、マップデータ提供部３１、アクセス集計データ算出部３２、及び送受信部３３から構成される。
【００３７】
マップデータ提供部３１は、マップデータ格納部１からマップデータを取得して送信部３３に渡す。
【００３８】
アクセス集計データ算出部３２は、ログデータ格納部２からログデータを取得してコンテンツ情報格納部５に格納されているコンテンツ情報に基づいて、最新のアクセス集計データを算出し、送受信部３３に渡す。
【００３９】
送受信部３３は、アクセス状況参照端末４からのアクセスを受け付けると共に、マップデータ及び最新のアクセス集計データをアクセス状況参照端末４に送信する。
【００４０】
図５は、本発明の第１の実施の形態におけるアクセス状況参照クライアントの構成を示す。同図に示すアクセス状況参照クライアント４は、要求送信部４１、データ取得・表示制御部４２及び表示部４３から構成される。
【００４１】
要求送信部４１は、アクセス状況提供サーバ３に対してアクセスし、マップデータ要求及びアクセス集計要求を発行する。
【００４２】
データ取得・表示制御部４２は、アクセス状況提供サーバ３からマップデータ及びアクセス集計データを受信し、表示部４３に渡す。
【００４３】
表示部４３は、マップデータ及びアクセス集計データを表示する。
【００４４】
なお、アクセス状況参照クライアント４の構成は、前述の第１の実施の形態と同様であるので説明は省略する。
【００４５】
本実施の形態では、ジャンル情報によりコンテンツを分類し、予めマップ情報を生成し、マップデータ格納部１に格納されているものとして説明する。なお、マップ情報の生成については、特開２００１−２２９１６７に開示されている技術を用いるものとし、ここではその説明を省略する。
【００４６】
マップ上のコンテンツとジャンル情報の配置は、マップ空間における座標値などで表現されているものとする。マップ上のコンテンツを示すコンテンツマークは、コンテンツのタイトル、ホームページのアイコン、サムネイル画像などが考えられるが、これに限らず、各コンテンツマークが区別できればいかなる表示形態でもよい。
【００４７】
また、マップ上のジャンルを示すジャンルマークも文字情報でもよいし、ジャンルを代表する絵でもよい。
【００４８】
次に、上記の構成における動作を説明する。
【００４９】
図６は、本発明の第１の実施の形態におけるリアルタイムアクセス集計表示のフローチャートであり、アクセス状況として最新のアクセス集計を提示した例を説明する。また、図７は、本発明の第１の実施の形態におけるリアルタイムアクセス集計表示例を示す。
【００５０】
アクセス状況表示サーバ３のアクセス集計データ算出部３２では、定期的にログデータ格納部２から最新のアクセスログを一定時間分取得し、コンテンツ毎及びジャンル毎のアクセスを集計したアクセス集計データを算出しておくものとする。
【００５１】
アクセス状況参照クライアント４の要求送信部４１は、起動時に、アクセス状況表示サーバ３にマップデータ、コンテンツマーク、ジャンルマークを要求し、データ取得・表示制御部４２において当該アクセス状況表示サーバ３から各データを取得する。マップデータは、コンテンツ識別子と座標値が対になったデータ、ジャンル識別子と座標値が対になったデータとして表現される。アクセス状況参照クライアント４の画面上に表示するマップサイズに合わせて、図７（ａ）に示すようにコンテンツマーク及びジャンルマークを表示する（ステップ１０１）。
【００５２】
コンテンツマーク及びジャンルマークは、マップのサイズに応じて表示形態を変えるようにすると、複数のマークが重なって見難くなる現象を防ぐことができる。図７（ａ）では、トップレベルのジャンル情報をテキストのジャンルマークとして表示し、その下のレベルは点として表示している。
【００５３】
次に、アクセス状況参照クライアント４の要求部４１は、アクセス状況表示サーバ３に最新のアクセス集計データを要求し、当該サーバ３よりアクセス集計データを取得する。アクセス集計データは、コンテンツ識別子とアクセス数が対になったデータ及び、ジャンル識別子とアクセス数が対になったデータとして表現される。図７（ｂ）に示すようにアクセス状況参照クライアント４の画面に現在表示されているマップの種類、サイズに応じて、コンテンツマーク及びジャンルマークの上あるいは、その周囲にアクセス数を示すアクセスマークを表示する。図７（ｂ）では、アクセスマークを大小の円で表現している。アクセスマークは、これ以外にも、アクセス数に応じてコンテンツマークやジャンルマークを拡大する、アクセス数に応じてコンテンツマークの色を変化させる等の表示形態が可能である（ステップ１０２）。
【００５４】
本実施の形態では、ジャンルマークをクリックすると、より詳細なマップを表示する。例えば、図７（ｂ）が表示されている状態で、ユーザがジャンルマークの『エンターテイメント』をクリックすると（ステップ１０５）、アクセス状況参照クライアント４は、アクセス状況提供サーバ３に詳細なマップの要求（ステップ１０１）及び、アクセス集計データの要求を行い（ステップ１０２）、アクセス状況参照クライアント４の画面上に『エンターテイメント』に関するアクセス状況を表示する（図７（ｃ））。
【００５５】
また、マップ上でコンテンツマークを選択すると（ステップ１０３）、該当するコンテンツを表示し、ログデータ格納部２にアクセスログを出力する（ステップ１０４）。なお、表示されるコンテンツは、コンテンツ提供サーバ６から提供され、アクセスログは、コンテンツ提供サーバ６が出力するものである。
【００５６】
このように、本発明では、ユーザがアクセス数の多いジャンルマークや興味がわいたジャンルマークをクリックするだけで、より詳細なジャンルマークやコンテンツマークを概観することができ、コンテンツを容易に絞り込み閲覧することが可能となる。
【００５７】
また、上記の実施の形態では、複数のマップを切り替えて表示する処理の流れを説明したが、すべてのジャンルマーク及びコンテンツマークを配置した１つのマップを用意し、ユーザがジャンルマークやコンテンツマークをクリックすると、その近傍のマップがズームアップされた形で、詳細を概観できるように制御してもよい。
【００５８】
［第２の実施の形態］
図８は、本発明の第２の実施の形態におけるアクセス状況表示システムの構成を示す。同図において、図３と同一構成部分には同一符号を付し、その説明を省略する。
【００５９】
図８に示すシステムは、ユーザ情報格納部８が図３の構成に追加されている点で異なる。
【００６０】
本実施の形態は、ユーザ登録を必要とするコンテンツ提供サービスに適用した例を説明する。
【００６１】
ユーザ情報格納部８には、ユーザ識別子、パスワードが記録されており、ユーザはサービス利用時にユーザ識別子及びパスワードを入力し、ログインすることを前提としている。これは、サービス利用時にユーザを識別できるため、リアルタイムにどのユーザがどのコンテンツを閲覧しているかが取得できる。そこで、マップ上のコンテンツマーク上あるいは周辺にユーザを表すユーザマークを表示し、アクセス状況としてリアルタイムアクセスユーザを提示した例を説明する。図９は、本発明の第２の実施の形態におけるアクセス状況提供サーバの構成を示す。同図に示すアクセス状況提供サーバ３は、図４のアクセス集計データ算出部３２の代わって、アクセスユーザデータ提供部３４が設けられた構成であり、当該アクセスユーザデータ提供部３４は、ユーザ情報を含むログデータ格納部２からのログデータ及びコンテンツ情報格納部５からのコンテンツ情報を取得して、アクセス状況参照クライアント４からアクセスされた時点でのアクセスユーザの状況を当該クライアント４に提供する。
【００６２】
図１０は、本発明の第２の実施の形態におけるリアルタイムアクセスユーザ表示のフローチャートである。
【００６３】
アクセス状況提供サーバ３のアクセスユーザデータ提供部３４では、定期的にログデータ格納部２から現在アクセス中のユーザを取得し、ログデータ格納部２より当該ユーザが最後のアクセスしたコンテンツを抽出するものとする。
【００６４】
アクセス状況参照クライアント４の要求送信部４１は、起動時にアクセス状況提供サーバ３にマップデータ、コンテンツマーク、ジャンルマークを要求し、アクセス状況参照クライアント４の画面上のマップサイズに合わせて、コンテンツマーク及びジャンルマークを表示する（ステップ２０１）。
【００６５】
次に、アクセス状況参照クライアント４の要求送信部４１は、アクセス状況提供サーバ３に最新のアクセスユーザデータを要求し、当該サーバ３よりアクセスユーザデータを取得する。アクセスユーザデータは、ユーザ識別子とコンテンツ識別子とが対になったデータとして表現される。図１１（ａ）に示すように、クライアント画面に現在表示されているマップの種類、サイズに応じて、コンテンツマークの上あるいは、その周囲にユーザマークを表示する（ステップ２０２）。図１１（ａ）では、ユーザマークを『ニコチャンマーク』で表現し、コンテンツマーク上に表示している。同一コンテンツを閲覧しているユーザの数に応じて『ニコチャンマーク』の色を変化させており、赤はユーザ数が最も多く、次いで、黄色、緑、青緑、青の順にユーザ数が少なくなる。この他、ユーザマークの表示形態としては、ユーザの数だけユーザマークを表示し、複数のユーザが同一コンテンツを閲覧している場合には、図１１（ｂ）に示すように、コンテンツマークの周囲に複数のユーザが群がっているように表示してもよい。この場合、ユーザ１人１人の動向が可視化でき、現実世界で店の前に客が群がっているような状態を表現でき、より臨場感を高める効果がある。
【００６６】
本実施の形態では、コンテンツマークまたは、ユーザマークが選択されると（ステップ２０３）、コンテンツ提供サーバ６により該当するコンテンツが表示され、ログデータ格納部２にアクセスログが出力される（ステップ２０４）。また、ユーザマークが選択された場合は（ステップ２０５）、アクセス中のユーザが存在するので、ユーザ情報格納部８が検索され、ユーザ概要一覧が表示される（ステップ２０６）。ユーザ概要としては、電子メールアドレスやインスタント・メッセンジャのＩＤなどが提示される。ユーザ概要一覧から特定のユーザを選択し（ステップ２０７）、メールソフト、インスタント・メッセージングソフト、チャット、ＴＶ会議などのコミュニケーションツールを起動することができる（ステップ２０８）。
【００６７】
また、本実施の形態では、マップの中心位置及び表示範囲を変更できるインタフェースを提供し（ステップ２０９）、マップの表示位置及び範囲を変更する（ステップ２１０）。インタフェースの例としては、第１の実施の形態で説明したように、ジャンルマークやコンテンツマークをクリックすると、当該マークの近傍を拡大表示する方法や、虫眼鏡のように一部分を拡大表示する方法等がある。なお、上記の第１の実施の形態における図６に示すフローチャート及び第２の実施の形態における図１０に示すフローチャートにおけるアクセス状況参照クライアントの動作毎にプログラムとして構築すると共に、第１の実施の形態及び第２の実施の形態で説明したアクセス状況提供サーバの動作をプログラムとして構築し、アクセス状況提供サーバ及びアクセス状況参照クライアントとして利用されるコンピュータにインストールする、または、ネットワークを介して流通させることも可能である。
【００６８】
また、構築されたプログラムをアクセス状況提供サーバ及びアクセス状況参照クライアントとして利用されるコンピュータに接続されるハードディスク装置や、フレキシブルディスク、ＣＤ−ＲＯＭ等の可搬記憶媒体に格納しておき、本発明を実施する際にこれらのコンピュータにインストールすることも可能である。なお、本発明は、上記の実施の形態に限定されることなく、特許請求の範囲内において、種々変更・応用が可能である。
【００６９】
【発明の効果】
上述のように本発明によれば、特に明確な意図を持たないユーザに対して、アクセスの集中しているジャンルやコンテンツが表示されたマップを提供することで、直感的にアクセス状況を把握し、どんな内容だろうとユーザの興味を強く刺激することができる。その結果、興味を持ったコンテンツを閲覧する機会を増加させることが可能となる。
【００７０】
また、ユーザ情報が取得できるサービスに本発明を適用した場合、ユーザ動向がリアルタイムに表示でき、コンテンツを様々なユーザが閲覧しているという臨場感を高めることができる。さらに、同じ興味を持ったユーザ同士の情報交換を用意に実現できる。
【図面の簡単な説明】
【図１】本発明の原理構成図である。
【図２】本発明の原理を説明するための図である。
【図３】本発明の第１の実施の形態におけるアクセス状況表示システムの構成図である。
【図４】本発明の第１の実施の形態におけるアクセス状況提供サーバの構成図である。
【図５】本発明の第１の実施の形態におけるアクセス状況参照クライアントの構成図である。
【図６】本発明の第１の実施の形態におけるリアルタイムアクセス集計表示のフローチャートである。
【図７】本発明の第１の実施の形態におけるリアルタイムアクセス集計表示例である。
【図８】本発明の第２の実施の形態におけるアクセス状況表示システムの構成図である。
【図９】本発明の第２の実施の形態におけるアクセス状況提供サーバの構成図である。
【図１０】本発明の第２の実施の形態におけるリアルタイムアクセスユーザ表示のフローチャートである。
【図１１】本発明の第２の実施の形態におけるリアルタイムアクセスユーザ表示例である。
【符号の説明】
１　マップデータ格納手段、マップデータ格納部
２　ログデータ格納手段、ログデータ格納部
３　アクセス状況提供サーバ
４　アクセス状況参照端末、アクセス状況参照クライアント
５　コンテンツ情報格納部
６　コンテンツ提供サーバ
７　コンテンツ参照クライアント
８　ユーザ情報格納部
３１　マップデータ提供手段、マップデータ提供部
３２　アクセス数集計手段、アクセス集計データ算出部
３３　送受信部
４１　マップ要求手段、要求送信部
４２　表示手段、データ取得・表示制御部
４３　表示部
【図１】
2004126937.tif 000003
【図２】
2004126937.tif 000004
【図３】
2004126937.tif 000005
【図４】
2004126937.tif 000006
【図５】
2004126937.tif 000007
【図６】
2004126937.tif 000008
【図７】
2004126937.tif 000009
【図８】
2004126937.tif 000010
【図９】
2004126937.tif 000011
【図１０】
2004126937.tif 000012
【図１１】
2004126937.tif 000013